(57)【特許請求の範囲】
【請求項１】
パケット通信網に接続された移動通信基地局の試験用端末であって、
前記移動通信基地局及びパケット通信網を経由し着信試験機能部に対してＩＣＭＰ（Ｉｎｔｅｒｎｅｔ  Ｃｏｎｔｒｏｌ  Ｍｅｓｓａｇｅ  Ｐｒｏｔｏｃｏｌ）パケットを送出する発信試験機能部と、
前記ＩＣＭＰパケットに対して応答パケットを前記パケット通信網に送出する着信試験機能部と、を備え、
所定の試験開始信号に基づいて、試験対象の移動通信基地局に接続し、前記移動通信基地局に予め設定されたアドレスを発信元アドレス又は宛先アドレスとしたＩＣＭＰパケットを送信し応答を監視する試験を実行可能としたこと、
を特徴とする試験用端末。
【請求項２】
前記発信試験機能部が前記試験対象の移動通信基地局を介して前記パケット通信網に接続し、予め通知された基地局のＩＰアドレスを発信元ＩＰアドレスとし、前記着信試験機能部に付与されたＩＰアドレスを宛先ＩＰアドレスとして、ＩＣＭＰパケットを送信し、前記着信試験機能部からの応答を分析する発信系試験と、
前記着信試験機能部が、前記着信試験機能部に予め付与されたＩＰアドレスを発信元ＩＰアドレスとし、予め通知された基地局のＩＰアドレスを宛先ＩＰアドレスとして、ＩＣＭＰパケットを送信し、該ＩＣＭＰパケットを受信した移動通信基地局側から前記発信試験機能部に通知をなすことによって開始される着信系試験と、を実行可能であること、
を特徴とする請求項１に記載の試験用端末。
【請求項３】
パケット通信網に接続された移動通信基地局の試験用端末を構成するコンピュータに、
前記移動通信基地局及びパケット通信網を経由し着信試験機能部に対してＩＣＭＰ（Ｉｎｔｅｒｎｅｔ  Ｃｏｎｔｒｏｌ  Ｍｅｓｓａｇｅ  Ｐｒｏｔｏｃｏｌ）パケットを送出する発信機能と、
前記ＩＣＭＰパケットに対して応答パケットを前記パケット通信網に送出する応答機能と、
所定の試験開始信号に基づいて、試験対象の移動通信基地局に接続し、前記移動通信基地局に予め設定されたアドレスを発信元アドレス又は宛先アドレスとしたＩＣＭＰパケットを送信し応答を監視する試験実行機能と、を実現させるためのプログラム。
【請求項４】
前記試験実行機能として、
前記コンピュータが、前記試験対象の移動通信基地局を介して前記パケット通信網に接続し、予め通知された基地局のＩＰアドレスを発信元ＩＰアドレスとし、前記着信試験機能部に付与されたＩＰアドレスを宛先ＩＰアドレスとして、ＩＣＭＰパケットを送信し、前記着信試験機能部からの応答を分析する発信系試験と、
前記コンピュータが、前記着信試験機能部に予め付与されたＩＰアドレスを発信元ＩＰアドレスとし、予め通知された基地局のＩＰアドレスを宛先ＩＰアドレスとして、ＩＣＭＰパケットを送信し、該ＩＣＭＰパケットを受信した移動通信基地局側から前記発信試験機能部に通知をなすことによって開始される着信系試験と、を実行可能であること、
を特徴とする請求項３に記載のプログラム。
【請求項５】
移動通信基地局及びパケット通信網を経由し着信試験機能部に対してＩＣＭＰ（Ｉｎｔｅｒｎｅｔ  Ｃｏｎｔｒｏｌ  Ｍｅｓｓａｇｅ  Ｐｒｏｔｏｃｏｌ）パケットを送出する発信試験機能部と、前記ＩＣＭＰパケットに対して応答パケットを前記パケット通信網に送出する着信試験機能部と、を備えた一の試験用端末を用いて実施する移動通信基地局の試験方法であって、
前記試験用端末が、所定の試験開始信号に基づいて、試験対象の移動通信基地局に接続するステップと、
前記試験用端末が、前記移動通信基地局に予め設定されたアドレスを発信元アドレス又は宛先アドレスとしたＩＣＭＰパケットを送信するステップと、
前記試験用端末が、前記ＩＣＭＰパケットを受信し、該ＩＣＭＰパケットに対する応答を送信するステップと、
前記試験用端末が前記移動通信基地局を経由して前記応答を受信するステップと、を含むこと、
を特徴とする移動通信基地局の試験方法。
【請求項６】
移動通信基地局及びパケット通信網を経由し着信試験機能部に対してＩＣＭＰ（Ｉｎｔｅｒｎｅｔ  Ｃｏｎｔｒｏｌ  Ｍｅｓｓａｇｅ  Ｐｒｏｔｏｃｏｌ）パケットを送出する発信試験機能部と、前記ＩＣＭＰパケットに対して応答パケットを前記パケット通信網に送出する着信試験機能部と、を備えた一の試験用端末を用いて実施する移動通信基地局の試験方法であって、
前記試験用端末が、所定の試験開始信号に基づいて、試験対象の移動通信基地局を介して前記パケット通信網に接続するステップと、
前記試験用端末が、予め通知された基地局のＩＰアドレスを発信元ＩＰアドレスとし、前記着信試験機能部に付与されたＩＰアドレスを宛先ＩＰアドレスとして、ＩＣＭＰパケットを送信するステップと、
前記試験用端末が、前記ＩＣＭＰパケットを受信し、該ＩＣＭＰパケットに対する応答を送信するステップと、
前記試験用端末が前記移動通信基地局を経由して前記応答を受信するステップと、からなる発信系試験を含むこと、
を特徴とする移動通信基地局の試験方法。
【請求項７】
移動通信基地局及びパケット通信網を経由し着信試験機能部に対してＩＣＭＰ（Ｉｎｔｅｒｎｅｔ  Ｃｏｎｔｒｏｌ  Ｍｅｓｓａｇｅ  Ｐｒｏｔｏｃｏｌ）パケットを送出する発信試験機能部と、前記ＩＣＭＰパケットに対して応答パケットを前記パケット通信網に送出する着信試験機能部と、を備えた一の試験用端末を用いて実施する移動通信基地局の試験方法であって、
前記試験用端末が、前記着信試験機能部に予め付与されたＩＰアドレスを発信元ＩＰアドレスとし、予め通知された基地局のＩＰアドレスを宛先ＩＰアドレスとして、ＩＣＭＰパケットを送信するステップと、
前記試験用端末が、前記ＩＣＭＰパケットを受信した移動通信基地局側からの通知を受信するステップと、
前記試験用端末が、前記通知に基づいて、試験対象の移動通信基地局を介して前記パケット通信網に接続するステップと、
前記試験用端末が、予め通知された基地局のＩＰアドレスを発信元ＩＰアドレスとし、前記着信試験機能部に付与されたＩＰアドレスを宛先ＩＰアドレスとして、ＩＣＭＰパケットを送信するステップと、
前記試験用端末が、前記ＩＣＭＰパケットを受信し、該ＩＣＭＰパケットに対する応答を送信するステップと、
前記試験用端末が前記移動通信基地局を経由して前記応答を受信するステップと、からなる着信系試験を含むこと、
を特徴とする移動通信基地局の試験方法。
【発明の詳細な説明】
【技術分野】
【０００１】
本発明は、基地局試験用端末、プログラム及び基地局試験方法に関し、特に、パケット通信網が接続された移動通信基地局の試験用端末、プログラム及び移動通信基地局の試験方法に関する。
【背景技術】
【０００２】
従来の移動通信基地局の試験システムとして、ＩＣＭＰ（Ｉｎｔｅｒｎｅｔ  Ｃｏｎｔｒｏｌ  Ｍｅｓｓａｇｅ  Ｐｒｏｔｏｃｏｌ）パケットの発信試験用端末と着信試験用端末とを用意して行うものが知られている。図４は、そのシステム構成を表した図であり、図５はそのパケット発信試験時のシーケンス図、図６はそのパケット着信試験時のシーケンス図である。
【０００３】
また、特開２００２−７７０７０号公報には、試験用送受信装置ＴＲＸをセル基地局毎に設置し、パケット通信の通信品質を評価する自動試験システムが紹介されている。同公報によれば、自動試験装置ＥＱＰのパケット試験部（同公報の１１）が、前記試験用送受信装置ＴＲＸの試験用無線送受信部（同公報の２２）のＩＰアドレスを宛先として、ＩＣＭＰパケットを送信し、応答パケットを受信することによって、試験用送受信装置ＴＲＸとセル基地局間のパケット通信の品質判定を行うとしている。
【０００４】
【特許文献１】特開２００２−７７０７０号公報
【発明の開示】
【発明が解決しようとする課題】
【０００５】
しかしながら、従来の発信試験用端末と着信試験用端末とをそれぞれ用意する試験システムは、そのハードウェアのみならずソフトウェアも個別に用意しなければならないため、導入／保守コストが高く、また管理の負担も大きいという問題点がある。
【０００６】
また、特開２００２−７７０７０号公報の自動試験システムは、自動試験を定期的に行うという観点からして試験用送受信装置ＴＲＸをセル基地局毎に設置する必要があるため、上記従来の試験システムと同様コストや保守の面での不利がある上、基地局のアドレスを発信元アドレス又は宛先アドレスとして用いた試験を行い得ないという不都合がある。
【０００７】
本発明は、上記した事情に鑑みてなされたものであって、その目的とするところは、基地局のアドレスを発信元アドレス又は宛先アドレスとして用いた試験が実行可能であり、導入／保守コスト並びに管理の負担を抑えることができるように簡略化された基地局試験用端末、プログラム及び基地局試験方法を提供することにある。
【課題を解決するための手段】
【０００８】
本発明の第１の視点によれば、移動通信基地局及びパケット通信網を経由し着信試験機能部に対してＩＣＭＰパケットを送出する発信試験機能部と、前記ＩＣＭＰパケットに対して応答パケットを前記パケット通信網に送出する着信試験機能部と、を併有し、所定の試験開始信号に基づいて、試験対象の移動通信基地局に接続し、前記移動通信基地局に予め設定されたアドレスを発信元アドレス又は宛先アドレスとしたＩＣＭＰパケットを送信し応答を監視する試験を実行可能としたことを特徴とする、パケット通信網に接続された移動通信基地局の試験用端末と、所望のコンピュータに上記試験用端末の各機能を実現させるプログラムが提供される。
【０００９】
また、本発明の第２の視点によれば、上記した試験用端末を用いて実施する移動通信基地局の試験方法が提供される。この方法によれば、まず、前記試験用端末が、所定の試験開始信号に基づいて、試験対象の移動通信基地局に接続するステップが行われる。続いて、前記試験用端末が前記移動通信基地局に予め設定されたアドレスを発信元アドレス又は宛先アドレスとしたＩＣＭＰパケットを送信するステップ、前記試験用端末が前記ＩＣＭＰパケットを受信し、該ＩＣＭＰパケットに対する応答を発信元へ送信するステップ、前記試験用端末が前記移動通信基地局を経由して前記応答を受信するステップが行われる。
【発明の効果】
【００１０】
本発明によれば、パケット通信網が接続された各移動通信基地局の試験を一台の試験装置で実施することが可能となる。
【発明を実施するための最良の形態】
【００１１】
続いて本発明を実施するための最良の形態について図面を参照して詳細に説明する。図１は、本発明の第１の実施形態に係る移動通信基地局の試験系の構成を表した図である。図１を参照すると、パケット通信網３に接続された基地局（セル）２に、パケット通信網３及び通信回線４を介して接続する保守センター１が示されている。
【００１２】
保守センター１は、回線選択装置１１と、保守卓１２と、パケット試験用端末１４と、保守卓１２とパケット試験用端末１４を接続する試験用ローカルエリアネットーワーク（以下、試験用ＬＡＮ）１３とを含んで構成されている。
【００１３】
回線選択装置１１は、保守卓１２からの回線接続要求により、通信回線４を介して、試験対象の基地局２とパケット試験用端末１４を接続する機能を提供する。
【００１４】
保守卓１２は保守者（オペレータ）の操作又はタイマ設定により自動的に動作し、回線選択装置１１やパケット試験用端末１４に対する試験の開始や終了の指示、試験結果等を表示する機能を有し、パケット網、特に基地局２に含まれるパケット基地局２１の試験を制御する保守端末である。例えば、試験の開始時、保守卓１２は、パケット試験用端末１４に対し、試験種別（例えば発信試験や着信試験）をパラメータとして持つ試験開始要求信号を送出するとともに回線選択装置１１に対して回線接続要求を送出する。
【００１５】
パケット試験用端末１４は、試験用ＬＡＮ１３に接続される発信試験機能部１４１と、パケット通信網３に接続される着信試験機能部１４２を有し、後記するように各々が異なるＩＰアドレスを使用可能となっている。
【００１６】
前者の発信試験機能部１４１は、パケット発信試験時の保守卓１２及び試験送受信装置２３との通信及びパケット接続後に、着信試験機能部１４２に与えられたＩＰアドレスを宛先としてＰｉｎｇによりＩＣＭＰパケットを送出する機能を有している。
【００１７】
なお、上記ＩＣＭＰパケットの送信の際に、発信試験機能部１４１が使用する（送信元）ＩＰアドレスは、試験対象の基地局２に付与されたＩＰアドレスを用いる。この基地局のＩＰアドレスは、該基地局セルからパケット接続する際に固定で与えられるＩＰアドレスであり、本試験時では、試験送受信装置２３内のパケット通信が可能なパケット移動機２３１に与えられるＩＰアドレスとなる。
【００１８】
一方後者の着信試験機能部１４２は、パケット通信網３と接続されており、パケット通信網３から送られる上記パケット発信試験時の発信試験機能部１４１からのＩＣＭＰパケットに応答する機能に加えて、保守卓１２からの着信用Ｐｉｎｇ送信要求信号に従って、発信試験機能部１４１に設定されたＩＰアドレスを宛先として（着信用）ＰｉｎｇによりＩＣＭＰパケットをパケット通信網３に送出する機能を有している。
【００１９】
なお、着信試験機能部１４２における上記（着信用）Ｐｉｎｇの際の宛先ＩＰアドレスは変更することが可能であり、各基地局２に設定されたＩＰアドレスから試験対象の基地局のＩＰアドレスが選択される。
【００２０】
基地局２は、試験送受信装置２３乃至在圏する携帯電話端末からそれぞれ接続可能なパケット基地局２１と音声基地局２２とを含んで構成される。
【００２１】
パケット基地局２１は、パケット通信網３に接続して提供するパケット通信サービスのための基地局であり、音声基地局２２は、通信回線４に接続して提供する音声通信サービスのための基地局であり、更に、保守卓１２から試験送受信装置２３に対して送信される制御信号を中継する機能を有している。
【００２２】
試験送受信装置２３は、少なくともパケット通信が可能なパケット移動機２３１を内蔵し、試験時にパケット移動機２３１の電源制御等の初期処理を行う機能を有している。また、パケット移動機２３１は、上記試験送受信装置２３の制御に基づき、後記する手順に従って呼処理等を実行する機能を有している。
【００２３】
続いて、パケットを発信し、返ってきたエコーの喪失率や遅延時間によりパケット回線の状態を確認するパケット発信試験を行う際の動作について、図２のフローチャートを参照して詳細に説明する。まず、保守卓１２がパケット試験用端末１４に対して試験開始要求を送信すると（ステップＡ０１）、パケット試験用端末１４の発信試験機能部１４１は、試験開始応答を保守卓１２に返信する（ステップＡ０２）。
【００２４】
続いて、試験開始応答を受信すると保守卓１２は、回線選択装置１１に対して回線接続要求を送信し、試験対象の基地局２との回線接続を指示する（ステップＡ０３）。
【００２５】
前記回線接続要求を受信した回線選択装置１１は、試験対象の基地局２との回線接続処理を行い、接続完了後、保守卓１２に対して回線接続応答を返信する（ステップＡ０４）。
【００２６】
前記回線接続応答を受信した保守卓１２は、パケット試験用端末１４の発信試験機能部１４１に対して試験実行メッセージを送信する（ステップＡ０５）。なお、この試験実行メッセージには、試験対象の基地局名と着信試験機能部１４２のＩＰアドレスがパラメータとして含まれているものとする。
【００２７】
前記試験実行メッセージを受信したパケット試験用端末１４の発信試験機能部１４１は、回線選択装置１１により既に接続されている通信回線４及び音声基地局２２を介して試験対象の基地局２内の試験送受信装置２３に対して試験開始要求を送信する（ステップＡ０６）。
【００２８】
前記試験開始要求を受信した試験送受信装置２３は、内蔵のパケット移動機２３１の電源投入等の初期処理を行い、該初期処理完了後、試験開始応答をパケット試験用端末１４の発信試験機能部１４１に返信する（ステップＡ０７）。
【００２９】
前記試験開始応答を受信したパケット試験用端末１４の発信試験機能部１４１は、ＰＰＰ（Ｐｏｉｎｔ  ｔｏ  Ｐｏｉｎｔ  Ｐｒｏｔｏｃｏｌ）の接続シーケンスを開始し、パケット通信網３に接続する（ステップＡ０８）。これにより、発信試験機能部１４１と着信試験機能部１４２がともにパケット通信網３を介して接続された状態となる。
【００３０】
パケット通信網３に接続されたパケット試験用端末１４の発信試験機能部１４１は、試験対象の基地局２の試験送受信装置２３のパケット移動機２３１に与えられるＩＰアドレスと、着信試験機能部１４２のＩＰアドレス（いずれもステップＡ０５にて既知）を使用し、パケット移動機２３１のＩＰアドレスを送信元アドレスとして着信試験機能部１４２のＩＰアドレス宛てにｐｉｎｇを実行する（ステップＡ０９）。
【００３１】
前記ｐｉｎｇの実行によって送信されたＩＣＭＰパケットは、通信回線４から、試験送受信装置２３、パケット通信網３を介してパケット試験用端末１４の着信試験機能部１４２に配送される。そして、パケット試験用端末１４の着信試験機能部１４２が応答を返すと、上記ルートを逆にたどって、パケット試験用端末１４の発信試験機能部１４１においてエコーが受信される（ステップＡ１０）。
【００３２】
続いて、ｐｉｎｇエコーの分析による回線状態とパケットの着信を確認するパケット着信試験を行う際の動作について、図３のフローチャートを参照して詳細に説明する。図３に表されたとおり、パケット着信試験において、試験送受信装置２３が試験開始応答を保守卓１２に返信するまでの動作（ステップＢ０１〜Ｂ０７）は、上述したパケット発信試験のステップＡ０１〜Ａ０７と同様であるので省略する。
【００３３】
ステップＢ０７において試験送受信装置２３から試験開始応答を受信したパケット試験用端末１４の発信試験機能部１４１は保守卓１２に対して着信用ｐｉｎｇ送信要求を送信する（ステップＢ０８）。
【００３４】
前記着信用ｐｉｎｇ送信要求を受信した保守卓１２は、パケット試験用端末１４の着信試験機能部１４２に対して試験対象の基地局２のパケット移動機２３１のＩＰアドレスをパラメータとして持つ着信用ｐｉｎｇ送信要求を生成・送信する（ステップＢ０９）。
【００３５】
着信用ｐｉｎｇ送信要求を受信したパケット試験用端末１４の着信試験機能部１４２は、着信用ｐｉｎｇ送信要求を受信した旨を保守卓１２に応答するとともに（ステップＢ１０）、試験対象の基地局２の試験送受信装置２３のパケット移動機２３１に与えられるＩＰアドレスと、着信試験機能部１４２のＩＰアドレス（いずれもステップＢ０５にて既知）を使用し、着信試験機能部１４２のＩＰアドレスを送信元アドレスとしてパケット移動機２３１のＩＰアドレス宛てにｐｉｎｇ（着信用ｐｉｎｇ）を実行する（ステップＢ１１）。
【００３６】
パケット通信網３は、ステップＢ１１のｐｉｎｇ（着信用ｐｉｎｇ）により配送されたＩＣＭＰパケットの配送となる試験対象の基地局２のパケット移動機２３１にページングを実行する（ステップＢ１２）。更に、前記ページングを検知したパケット移動機２３１は、パケット試験用端末１４の発信試験機能部１４１にＲＩＮＧ（リンギング検出信号）を送出する（ステップＢ１３）。
【００３７】
前記ＲＩＮＧを受信したパケット試験用端末１４の発信試験機能部１４１は、ＰＰＰ接続シーケンスを開始し、パケット通信網３に接続する（ステップＢ１４）。これにより、発信試験機能部１４１と着信試験機能部１４２がともにパケット通信網３を介して接続された状態となる。
【００３８】
パケット通信網３に接続されたパケット試験用端末１４の発信試験機能部１４１は、試験対象の基地局２の試験送受信装置２３のパケット移動機２３１に与えられるＩＰアドレスと、着信試験機能部１４２のＩＰアドレス（いずれもステップＢ０５にて既知）を使用し、パケット移動機２３１のＩＰアドレスを送信元アドレスとして着信試験機能部１４２のＩＰアドレス宛てにｐｉｎｇを実行する（ステップＢ１５）。
【００３９】
前記ｐｉｎｇの実行によって送信されたＩＣＭＰパケットは、通信回線４から、試験送受信装置２３、パケット通信網３を介してパケット試験用端末１４の着信試験機能部１４２に配送される。そして、パケット試験用端末１４の着信試験機能部１４２が応答を返すと、上記ルートを逆にたどって、パケット試験用端末１４の発信試験機能部１４１においてエコーが受信される（ステップＢ１６）。
【００４０】
以上のようにして、本実施形態のパケット試験用端末によれば、パケット発信試験とパケット着信試験との双方を実行することが可能となり、また、そのための設備等の設置・運営コストのコストダウンを図ることが可能となる。より端的には、従来試験系に２台の試験用端末が必要であったが、これを１台に統合することにより試験系の構築時のコストを削減でき、その保守を容易にすることが可能となる。
【００４１】
また、上記した実施形態では、ステップＢ０８で、発信試験機能部１４１が保守卓１２に対して着信用ｐｉｎｇ送信要求をなし着信試験機能部１４２は、保守卓１２から着信用ｐｉｎｇ送信要求を受信するものとして説明したが、ステップＢ１１におけるｐｉｎｇ実行先が既知であれば、保守卓１２を経由しないで発信試験機能部１４１と着信試験機能部１４２が直接通信を行う構成も採用可能である。
【００４２】
また上記した実施形態では、ステップＡ０１、Ｂ０１にて送信される試験開始要求は、発信試験機能部１４１に対して送信されるものとして説明したが、パケット試験用端末１４に上記受信を行う共通機能部を設けて、該共通機能部が、発信試験機能部と着信試験機能部とに対してそれぞれ指令を与える構成としても構わない。また同様に、パケット試験用端末１４と保守卓１２の前記した各機能はコンピュータプログラムによって実現可能であり、これら各機能を統合したソフトウェアを所望のコンピュータにインストールすることで、保守卓と試験用端末の双方の機能を兼ね備えた複合端末が提供される。
【００４３】
また上記した実施形態における通信回線４は、特に限定するものではないが、専用線またはＩＳＤＮ等の公衆網を用いることも可能である。
【図面の簡単な説明】
【００４４】
【図１】本発明の第１の実施形態に係る移動通信基地局の試験系の構成を表した図である。
【図２】本発明の第１の実施形態に係る試験系による発信試験のシーケンスを表した図である。
【図３】本発明の第１の実施形態に係る試験系による着信試験のシーケンスを表した図である。
【図４】従来の移動通信基地局の試験系の構成を表した図である。
【図５】従来の試験系による発信試験のシーケンスを表した図である。
【図６】従来の試験系による着信試験のシーケンスを表した図である。
【符号の説明】
【００４５】
１  保守センター
２  基地局
３  パケット通信網
４  通信回線
１１  回線選択装置
１２  保守卓
１３  試験用ローカルエリアネットーワーク（試験用ＬＡＮ）
１４  パケット試験用端末
２１  パケット基地局
２２  音声基地局
２３  試験送受信装置
１４１  発信試験機能部
１４２  着信試験機能部
２３１  パケット移動機
【図１】
0004632873.tif 000002
【図２】
0004632873.tif 000003
【図３】
0004632873.tif 000004
【図４】
0004632873.tif 000005
【図５】
0004632873.tif 000006
【図６】
0004632873.tif 000007